(57)【要約】      （修正有）【課題】非使用時に摩擦部が汚れることを防止できるとともに、ペン先突出状態及びペン先没入状態の何れの状態でも摩擦部を用いた摩擦操作が可能な熱変色性筆記具を提供する。【解決手段】摩擦体４の頂部に、後方に開口する出没孔４２が形成され、出没孔４２より保護部６が出没自在に設けられ、保護部６が操作体５に連設され、ペン先没入状態において、保護部６の後端部が摩擦体４の頂部より後方に突出され、ペン先突出状態において、保護部６の後端部が摩擦体４の出没孔４２内部に没入される。【選択図】図１
2018192660.tif 000002
【特許請求の範囲】
【請求項１】
軸筒の内部に筆記体が前後方向に移動可能に収容され、前記筆記体の内部に熱変色性インキが収容され、前記筆記体の前端に前記熱変色性インキが吐出可能なペン先を備え、前記軸筒の内部に前後方向に移動可能な操作体を収容し、前記軸筒の側壁に前後方向に移動可能な操作部が突出され、前記操作体に前記操作部を備え、前記筆記体が弾発体により後方に付勢され、前記弾発体の後方付勢に抗して前記操作部を前方にスライド操作することにより前記筆記体のペン先を軸筒の前端孔から出没可能に構成する出没機構を備え、前記軸筒の後端に、前記熱変色性インキの筆跡を摩擦しその際に生じる摩擦熱で該筆跡を熱変色可能な低摩耗性の弾性材料からなる摩擦体を備えた熱変色性筆記具であって、
前記摩擦体の頂部に、後方に開口する出没孔が形成され、前記出没孔より保護部が出没自在に設けられ、前記保護部が前記操作体に連設され、
ペン先没入状態において、前記保護部の後端部が前記摩擦体の頂部より後方に突出され、
ペン先突出状態において、前記保護部の後端部が前記摩擦体の出没孔内部に没入されることを特徴とする熱変色性筆記具。
【請求項２】
ペン先没入状態において、前記保護部の後端部と前記摩擦体の後端部とに接する接線と、軸線とのなす角度が４５度〜７０度の範囲に設定されることを特徴とする請求項１記載の熱変色性筆記具。
【請求項３】
前記弾発体自体の軸方向の弾発力が、前記熱変色性筆記具全体の重量より高く設定されることを特徴とする請求項１又は２記載の熱変色性筆記具。
【請求項４】
前記操作体は、前後方向に伸びるクリップ本体と、該クリップ本体の後部に一体に連設され且つ径方向に延びる基部と、該基部と一体に連設され且つ該基部より前方に延び、前記軸筒内に収容される軸部と、該基部と一体に連設され且つ該基部より後方に延びる前記保護部とからなり、前記軸部と前記保護部は同一軸線上に形成され、前記クリップ本体を前記操作部とし、前記基部及び前記軸部が前記軸筒内に前後方向に移動可能に収容され、前記出没機構が、前記軸筒内に形成されるカム部と、該カム部に係合し且つ前記筆記体の後端に当接する回転部材と、該回転部材と前後に係合するカム歯を前端に有する前記軸部と、を備えることを特徴とする請求項１乃至３の何れかに記載の熱変色性筆記具。
【発明の詳細な説明】
【技術分野】
【０００１】
本発明は、熱変色性筆記具に関する。
【背景技術】
【０００２】
従来、特許文献１には、熱変色性筆記具において、非使用時、ユーザーの指先が摩擦体に接触したり、あるいは熱変色性筆記具を収納体（例えば、ペンケース、ペン立て、または衣服のポケット等）に収納して保管したりした際に該収納体の内面（例えば、ペンケースの内面、ペン立ての底面、または衣服のポケット内面等）と摩擦体とが接触することにより、摩擦体表面に手垢や埃等が付着し、摩擦体表面が汚れることを防止する目的で、軸筒の内部に筆記体を前後方向に移動可能に収容し、前記筆記体の内部に熱変色性インキを収容し、前記筆記体の前端に前記熱変色性インキが吐出可能なペン先を設け、前記軸筒の側壁に前後方向に移動可能な操作部を突出させ、前記操作部を前方にスライド操作することにより前記筆記体のペン先を軸筒の前端孔から出没可能に構成し、軸筒の後端より後方に、前記熱変色性インキの筆跡を摩擦しその際に生じる摩擦熱で該筆跡を熱変色可能な低摩耗性の弾性材料からなる摩擦体を突出させた熱変色性筆記具であって、前記操作部の後端に、前記操作部と一体に前後方向に移動する保護片部を備え、ペン先没入時、前記保護片部の後端が前記摩擦体の突出部頂部より後方に位置し且つ前記保護片部が少なくとも前記摩擦体の突出部の片側外周に位置し、ペン先突出時、前記摩擦体の突出部頂部が前記保護片部の後端より後方に位置し且つ前記保護片部が少なくとも前記軸筒の後端部の片側外周に位置することを特徴とする熱変色性筆記具が開示されている。
【先行技術文献】
【特許文献】
【０００３】
【特許文献１】特開２０１４−１２８９２９号公報
【発明の概要】
【発明が解決しようとする課題】
【０００４】
前記特許文献１の熱変色性筆記具は、ペン先突出状態において摩擦体を用いた摩擦操作が可能であるが、ペン先没入状態では、保護片部の後端が摩擦体の突出部頂部より後方に位置して摩擦体を用いた摩擦操作が容易になしえない。
【０００５】
本発明は前記従来の問題点を解決するものであって、非使用時に摩擦体が汚れることを防止できるとともに、ペン先突出状態及びペン先没入状態の何れの状態でも摩擦体を用いた摩擦操作が可能な熱変色性筆記具を提供しようとするものである。
【０００６】
尚、本発明において、「前」とはペン先側を指し、「後」とはその反対の摩擦体側を指す。
【課題を解決するための手段】
【０００７】
本願の第１の発明は、軸筒の内部に筆記体が前後方向に移動可能に収容され、前記筆記体の内部に熱変色性インキが収容され、前記筆記体の前端に前記熱変色性インキが吐出可能なペン先を備え、前記軸筒の内部に前後方向に移動可能な操作体を収容し、前記軸筒の側壁に前後方向に移動可能な操作部が突出され、前記操作体に前記操作部を備え、前記筆記体が弾発体により後方に付勢され、前記弾発体の後方付勢に抗して前記操作部を前方にスライド操作することにより前記筆記体のペン先を軸筒の前端孔から出没可能に構成し、前記軸筒の後端に、前記熱変色性インキの筆跡を摩擦しその際に生じる摩擦熱で該筆跡を熱変色可能な低摩耗性の弾性材料からなる摩擦体を備えた熱変色性筆記具であって、前記摩擦体の頂部に、後方に開口する出没孔が形成され、前記出没孔より保護部が出没自在に設けられ、前記保護部が前記操作体に連設され、ペン先没入状態において、前記保護部の後端部が前記摩擦体の頂部より後方に突出され、ペン先突出状態において、前記保護部の後端部が前記摩擦体の出没孔内部に没入されることを要件とする。
【０００８】
前記第１の発明の熱変色性筆記具は、非使用状態（ペン先没入状態）において、保護部により摩擦体が汚れることを防止できる。また、前記第１の発明の熱変色性筆記具によれば、ペン先没入状態において、保護部の後端部を被筆記面に接触させることにより保護部を前方に移動させ、摩擦体を用いた摩擦操作が可能となり、さらに、ペン先突出状態において、保護部の頂部が摩擦体の出没孔内部に没入されるため、摩擦体を用いた摩擦操作が可能となる。
【０００９】
また、前記第１の発明によれば保護部が操作体に連設されているため、保護部の径方向のぐらつきを抑えることができ、保護部の安定した前後方向の移動が可能となる。
【００１０】
本願の第２の発明は、前記第１の発明の熱変色性筆記具において、ペン先没入状態において、前記保護部の後端部と前記摩擦体の後端部とに接する接線と、軸線とのなす角度が４５度〜７０度の範囲に設定されることが好ましい。
【００１１】
前記第２の発明の熱変色性筆記具は、被筆記面による保護部の後退が適正に行われ、円滑な摩擦操作が可能となり、しかも、保護部による摩擦体の適正な汚れ防止がなされる。
【００１２】
前記軸線とのなす角度が４５度未満であると、摩擦体からの保護部の突出量が大きくなり、摩擦操作時、被筆記面による保護部の後退が適正に行われず、円滑な摩擦操作ができないおそれがある。また、前記軸線とのなす角度が７０度を超えると、摩擦体からの保護部の突出量が小さくなり、保護部による摩擦体の汚れ防止効果が低下するおそれがある。
【００１３】
本願の第３の発明は、前記第１又は第２の発明の熱変色性筆記具において、前記弾発体自体の軸方向の弾発力が、前記熱変色性筆記具全体の重量より高く設定されることを要件とする。
【００１４】
前記第３の発明の熱変色性筆記具は、前記弾発体自体の軸方向の弾発力が、前記熱変色性筆記具全体の重量より高く設定されることより、非使用時、ペンケース、ペン立て、または衣服のポケット等に収納して保管しても、保護部により摩擦体が、他の物品（例えば、他の筆記具外面、ペンケースの内面、ペン立ての底面、または衣服のポケット内面等）に接触することが回避され、非使用時（ペン先没入且つ保護部突出状態）に摩擦体が汚れることを防止できる。
【００１５】
前記弾発体自体の軸方向の弾発力以上の力で被筆記面に対する摩擦操作を行なえば、摩擦操作の力で保護部の後端部が出没孔に没入し、非使用状態（ペン先没入且つ保護部突出状態）においても、摩擦体を用いた摩擦操作が可能となる。
【００１６】
本願の第４の発明は、前記第１乃至第３の発明の熱変色性筆記具において、前記操作体は、前後方向に伸びるクリップ本体と、該クリップ本体の後部に一体に連設され且つ径方向に延びる基部と、該基部と一体に連設され且つ該基部より前方に延び、前記軸筒内に収容される軸部と、該基部と一体に連設され且つ該基部より後方に延びる前記保護部とからなり、前記軸部と前記保護部は同一軸線上に形成され、前記クリップ本体を前記操作部とし、前記基部及び前記軸部が前記軸筒内に前後方向に移動可能に収容され、前記出没機構が、前記軸筒内に形成されるカム部と、該カム部に係合し且つ前記筆記体の後端に当接する回転部材と、該回転部材と前後に係合するカム歯を前端に有する前記軸部と、を備えることを要件とする。
【００１７】
前記第４の発明の熱変色性筆記具は、前記操作体は、前後方向に伸びるクリップ本体と、該クリップ本体の後部に一体に連設され且つ径方向に延びる基部と、該基部と一体に連設され且つ該基部より前方に延び、前記軸筒内に収容される軸部と、該基部と一体に連設され且つ該基部より後方に延びる前記保護部とからなり、前記軸部と前記保護部は同一軸線上に形成され、前記クリップ本体を前記操作部とし、前記基部及び前記軸部が前記軸筒内に前後方向に移動可能に収容され、前記出没機構が、前記軸筒内に形成されるカム部と、該カム部に係合し且つ前記筆記体の後端に当接する回転部材と、該回転部材と前後に係合するカム歯を前端に有する前記軸部と、を備えることより、保護部が前後動する際の径方向のぐらつきを抑えることができ安定した摩擦操作が可能となる。
【発明の効果】
【００１８】
本発明の熱変色性筆記具は、非使用時（ペン先没入且つ保護部突出状態）に摩擦体が汚れることを防止できるとともに、ペン先突出状態及びペン先没入状態の何れの状態でも摩擦体を用いた摩擦操作が可能となる。
【図面の簡単な説明】
【００１９】
【図１】本発明の実施の形態の非使用時（ペン先没入且つ保護部突出状態）を示す縦断面図である。
【図２】図１の使用時（ペン先突出且つ保護部没入状態）を示す縦断面図である。
【図３】図１の側面図である。
【図４】図１の正面図である。
【図５】図２の側面図である。
【図６】図３の要部拡大図である。
【図７】図１及び図２の操作体、保護部、円筒体、回転部材、摩擦体、後軸、及び中間軸を示す分解図である。
【発明を実施するための形態】
【００２０】
図１乃至図７に本発明の実施の形態を示す。
本実施の形態の熱変色性筆記具１は、軸筒２と、該軸筒２内に収容される筆記体３と、軸筒２の外面より径方向外方に突出する操作部５４を備え且つ該軸筒２内に一部が収容される操作体５と、該操作部５４を前方にスライド操作することにより該筆記体３のペン先３１を軸筒２の前端孔２４より出没自在にさせる出没機構とを備える。
【００２１】
前記筆記体３は、ペン先３１と、該ペン先３１が前端開口部に圧入固着されたインキ収容管３２と、該インキ収容管３２内に充填される熱変色性インキ３４と、該熱変色性インキ３４の後端に充填され且つ該熱変色性インキ３４の消費に伴い前進する追従体３５（例えば高粘度流体）とからなる。
【００２２】
前記ペン先３１は、例えば、前端に回転可能にボールを抱持した金属製のボールペンチップのみからなる構成、または前記ボールペンチップの後部外面を保持した合成樹脂製のペン先ホルダーからなる構成が挙げられる。また、前記インキ収容管３２の後端開口部に、インキ収容管３２と外部とが通気可能な通気孔を備えた尾栓３３が取り付けられる。前記ペン先３１の内部には、前端のボールを前方に押圧するスプリングが収容される。前記スプリングは、圧縮コイルスプリングの前端部にロッド部を備えた構成であり、前記ロッド部の前端がボール後面に接触している。非筆記時、前記スプリングの前方付勢によりボールがボールペンチップ前端の内向きの前端縁部内面に密接され、ペン先３１の前端からのインキの漏出及びインキの蒸発を防止できる。
【００２３】
前記軸筒２は、先細円筒状の前軸２１と、該前軸２１の後端部に連結される円筒状の中間軸２２と、該中間軸２２の後端部に連結される円筒状の後軸２３とからなる。前記軸筒２の後部側壁（後軸２３と中間軸２２の側壁）には、前後方向に延びるスライド孔２５が形成される。軸筒２（中間軸２２）の内面には、カム部２７が一体に形成される。
【００２４】
前記軸筒２の後端（後軸２３の後端）には、取付孔２６が前後方向に貫設される。前記取付孔２６に弾性材料からなる摩擦体４が圧入嵌合または乗り越え嵌合される。それにより、前記後軸２３の後端外面に摩擦体４が固定される。
【００２５】
前記摩擦体４は、軸筒２の後端より後方に突出され、軸筒２の後端に摩擦体４の突出部４１が形成される。前記摩擦体４の突出部４１の頂部は凸曲面状に形成され、前記摩擦体４の突出部４１の頂部に、後方に開口する出没孔４２が形成される。前記出没孔４２は軸方向に貫設される。
【００２６】
前記操作体５は、クリップを兼ねる。前記操作体５は、前後方向に延びるクリップ本体５１と、該クリップ本体５１の後部に一体に連設され且つ径方向に延びる基部５２と、該基部５２と一体に連設され且つ基部５２より前方に延びる軸部５３と、該基部５２と一体に連設され且つ基部５２より後方に延びる保護部６とからなる。前記軸部５３と保護部６は同一軸線上に形成される。前記操作体５は、合成樹脂（例えば、ポリカーボネート樹脂）の成形体により得られる。前記クリップ本体５１は、裏面に玉部５１ａが突設される。前記軸部５３の前端には、回転部材７と係合するカム歯が一体または別部材による取り付けにより形成される。
【００２７】
本実施の形態は、保護部６が摩擦体４の内面（又は出没孔４２の内面）のみにガイドされる場合に比べ、操作体５が軸筒２に前後動可能に設けられ、保護部６が操作体５に連接されているため保護部６の径方向のぐらつきを抑えることができる。
【００２８】
前記保護部６は、前記摩擦体４の頂部に貫設された出没孔４２の中を前後方向に移動するよう配置される。前記保護部６は、棒状又は板状に形成される。前記保護部６は、操作体５の基部５２と一体に形成されるか、または別部材の取り付けにより連設される。前記保護部６の後端は、凸曲面状となり、紙面に対して円滑に摺動させることができる。
【００２９】
前記出没機構は、回転カム機構を用いたサイドスライド式出没機構である。前記出没機構は、中間軸２２内面に形成されたカム部２７と、該カム部２７に係合し且つ筆記体３の後端に当接する回転部材７と、該回転部材７に係合し且つスライド孔２５より径方向外方に突出する操作体５と、軸筒２内に収容され且つ筆記体３を後方に付勢する弾発体８（例えば圧縮コイルスプリング）とからなる。本実施の形態の出没機構は、ペン先突出操作及びペン先没入操作のいずれもが操作部５を前方にスライド操作するダブルノック式である。
【００３０】
前記カム部２７は、前方に突出する鋸歯状の複数のカム歯２７ａと、該カム歯２７ａ間に形成される、前後方向に延びる複数のカム溝２７ｂとを備える。前記回転部材７は、その外面に長手方向に延びる複数本（例えば４本）の突条７ａを備え、該突条７ａが、カム部２７のカム歯２７ａ及びカム部２７のカム溝２７ｂと係合される。前記操作体５の軸部５３に取り付けられた円筒体５５の前端には、回転部材７の突条７ａの後端と係合するカム歯５５ａが一体に形成される。
【００３１】
ペン先没入状態から操作部５４を前方に、弾発体８による後方付勢に抗してスライド操作すると、前記操作体５の軸部５３に取り付けられた円筒体５５によって回転部材７が前方に押圧され、前記回転部材７が筆記体３の後端を前方に押圧し、ペン先３１が前端孔２４より外部に突出される。このとき、前記軸部５３に取り付けられた円筒体５５のカム歯５５ａと前記回転部材７の突条７ａとの当接によって回転部材７がカム部２７に対して一定角度だけ回転する。それにより、前記回転部材７の突条７ａがカム部２７のカム歯２７ａに係合され、ペン先突出状態が維持される。また、これと同時に、前記操作体５の前方移動に伴って保護部６が前方に移動し、前記保護部６の後端が出没孔４２より摩擦体４の内部に没入される。これにより、使用可能状態（筆記可能状態及び摩擦体使用可能状態）となる。
【００３２】
次に、ペン先突出状態から操作部５４（クリップ体）を前方にスライド操作すると、操作体５の軸部５３に取り付けられた円筒体５５が回転部材７を前方に押圧し、前記円筒体５５のカム歯５５ａと前記回転部材７の突条７ａとの当接によって回転部材７がカム部２７に対して一定角度だけ回転する。それによって、前記突条７ａとカム部２７のカム歯２７ａとの係合状態が解除され、弾発体８による後方付勢により、前記突条７ａがカム部２７のカム溝２７ｂに沿って後方に移動する。前記回転部材７が後方に移動することに伴って、筆記体３及び操作体５が後方に移動し、ペン先没入状態となる。
また、これと同時に、前記操作体５の後方移動に伴って保護部６が後方に移動し、前記保護部６の後端が出没孔４２より摩擦体４の外部に突出される。これにより、非使用状態（筆記非使用状態及び摩擦体非使用状態）となる。
【００３３】
ペン先没入状態において、前記保護部６の後端部と前記摩擦体４の後端部とに接する接線と、軸線とのなす角度θが４５度〜７０度の範囲に設定されることが好ましい。前記接線と前記軸線とのなす角度θが４５度未満であると、摩擦体４からの保護部６の突出量が大きくなり、摩擦操作時、被筆記面による保護部６の後退が適正に行われず、円滑な摩擦操作ができないおそれがある。また、前記接線と前記軸線とのなす角度θが７０度を超えると、摩擦体４からの保護部６の突出量が小さくなり、保護部６による摩擦体４の汚れ防止効果が低下するおそれがある。
【００３４】
本実施の形態において、前記摩擦体４を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体４を構成する弾性を有する合成樹脂は、高摩耗性の弾性材料（例えば、消しゴム等）ではなく、摩擦時に摩耗カス（消しカス）が殆ど生じない低摩耗性の弾性材料である。また、前記摩擦体４は、軸筒２の後端部外面に少なくとも設ければよく、例えば、軸筒２の後端部外面もしくは後軸２３の後端部外面に弾性材料よりなる摩擦体４を圧入、係合、螺合、嵌合、接着、２色成形等によって固着する構成、または軸筒２の全体もしくは後軸２３の全体が弾性材料により一体に形成される構成が挙げられる。
【００３５】
本実施の形態の熱変色性筆記具１は、ペン先没入時、前記保護部６の後端が前記摩擦体４の突出部４１頂部より後方に位置することにより、非使用時（ペン先非使用時及び摩擦体非使用時）、ユーザーの指先との接触や、摩擦体４の頂部と収容体内面（例えば、ペンケースの内面、ペン立ての底面、または衣服のポケット内面）との接触を回避でき、摩擦体４に手垢や埃等が付着すること（即ち摩擦体４が汚れること）を防止できる。
【符号の説明】
【００３６】
１  熱変色性筆記具
２  軸筒
２１  前軸
２２  中間軸
２３  後軸
２４  前端孔
２５  スライド孔
２６  取付孔
２７  カム部
２７ａ  カム歯
２７ｂ  カム溝
３  筆記体
３１  ペン先
３２  インキ収容管
３３  尾栓
３４  熱変色性インキ
３５  追従体
４  摩擦体
４１  突出部
４２  出没孔
５  操作体
５１  クリップ本体
５１ａ  玉部
５２  基部
５３  軸部
５４  操作部
５５  円筒体
５５ａ  カム歯
６  保護部
７  回転部材
７ａ  突条
８  弾発体
θ  角度
【図１】
2018192660.tif 000003
【図２】
2018192660.tif 000004
【図３】
2018192660.tif 000005
【図４】
2018192660.tif 000006
【図５】
2018192660.tif 000007
【図６】
2018192660.tif 000008
【図７】
2018192660.tif 000009